(57)【特許請求の範囲】
【請求項１】
道路トンネルの本坑から分岐した再び本坑に戻る縦流換気トンネル，もしくはトンネル外の大気側に通じる横流換気トンネルの風路に送風機と組合せて電気集じん機を据付け、本坑から換気トンネルに取り込んだ換気空気を清浄化するようにした道路トンネル用の電気集じん機設備であり、前記風路の途中箇所で風路を横切るように複数基の電気集じん機を上下，左右に並べて設置したものにおいて、帯電部，集じん部を対にして組立てたフレームレス構造の集じんユニットを電気集じん機の単位となし、トンネルの断面形状に合わせて換気トンネル内に構築したプレハブ式の集じんユニット収納棚に前記集じんユニットの複数基を上下，左右に収納し、前記集じんユニット収納棚の上部に集じんユニットに向けて上方から洗浄水を散布するノズル付き洗浄配管を備えたことを特徴とする道路トンネル用の電気集じん設備。
【請求項２】
道路トンネルの本坑から分岐した再び本坑に戻る縦流換気トンネル，もしくはトンネル外の大気側に通じる横流換気トンネルの風路に送風機と組合せて電気集じん機を据付け、本坑から換気トンネルに取り込んだ換気空気を清浄化するようにした道路トンネル用の電気集じん機設備であり、前記風路の途中箇所で風路を横切るように複数基の電気集じん機を上下，左右に並べて設置したものにおいて、帯電部，集じん部を対にして組立てたフレームレス構造の集じんユニットを電気集じん機の単位となし、トンネルの断面形状に合わせて換気トンネル内に構築したプレハブ式の集じんユニット収納棚に前記集じんユニットの複数基を上下，左右に収納し、前記集じんユニット収納棚の換気空気流出側に、ダンパを装備したことを特徴とする道路トンネル用の電気集じん機設備。
【請求項３】
請求項１又は２に記載の電気集じん機設備において、集じんユニット収納棚に、各基の集じんユニットを個々に搭載する引出レールを装備したことを特徴とする道路トンネル用の電気集じん機設備。
【請求項４】
請求項１又は２に記載の電気集じん機設備において、集じんユニット収納棚の上部に、各基の集じんユニットに電圧を印加する直流高圧電源装置を配置したことを特徴とする道路トンネル用の電気集じん機設備。
【発明の詳細な説明】
【０００１】
【発明の属する技術分野】
この発明は、自動車道路用トンネルの換気システムとしてトンネル内に設置し、本坑から吸い込んだ汚染空気を除塵して清浄化する道路トンネル用の電気集じん機設備に関する。
【０００２】
【従来の技術】
山岳地帯，市街地の地中などを通る長大な自動車道路のトンネルでは、トンネル内の視野改善のために換気を行うようにしており、その換気システムとして自動車が走行する本坑から分岐して再び本坑に戻る縦流換気トンネル（バイパストンネル），もしくは本坑から分岐してトンネル外の地上に設けた換気塔に通じる横流換気トンネルの風路に、送風機と組合せて電気集じん機を設置し、本坑から吸い込んだ汚染空気（本坑内の空気は自動車の排気ガス（煤煙），浮遊粉塵などで汚れ、視界を悪化している）を電気集じん機で除塵して清浄化するようにしている。
【０００３】
図３（ａ）  〜（ｃ）  は前記した道路トンネルの縦流換気システムを示すものであり、図において１は道路トンネルの本坑（自動車の走行道路）、２は本坑１の途中箇所にら分岐した縦流換気トンネル（バイパストンネル）であり、換気トンネル２の内部に画成した風路２ａには電気集じん機３，送風機４を前後に設置し、本坑１から吸い込んだ換気空気を電気集じん機３で清浄化した後、送風機４に接続した送気ダクト５を通じて清浄空気を本坑１に放流するようにしている。なお、換気トンネル２の内部には風路２ａと隔離して補機室２ｂ，電気室２ｃを備えている。
【０００４】
ここで、図３（ｃ）  で示すように換気トンネル２の風路には、内部空間を横切るように複数台の電気集じん機３が上下，左右に配列して据付けてあり、電気集じん機３とトンネル２との間の残余スペースを遮蔽板６２ｄで閉塞している。
なお、図３には縦流換気システムを示したが、トンネル本坑１から側方に分岐した換気風路をトンネル外の地上側に設けた換気所設備の換気塔に連ね、この換気所に電気集じん機，送風機を設置して本坑から抽気した汚染空気を清浄化してトンネル外に放流するようにした横流換気システムでも、電気集じん機は同じように風路内に設置されている。
【０００５】
次に、前記した電気集じん機３の従来構造を図４（ａ），（ｂ）  に示す。周知のように電気集じん機３は、帯電部３ａと集じん部３ｂを対とする複数の集じんユニット３ｃ（図示例では４ユニット）が鋼板製の本体フレーム（筐体）３ｄの内部に並置して組み込まれており、さらに本体フレーム３ｄには集じん部３ｂの捕集ダストを洗い流すノズル付き洗浄配管３ｅ、および入口，出口側には扉式のダンパ３ｆ（このダンパ３ｆは、集じん部のダスト洗浄時に閉じてダストが周囲に飛散するのを防ぐ役目を果たす）を装備した構成になる。なお、給電部は本体フレーム３ｄの内部に棒状の給電バーを布設して帯電部３ａ，集じん部３ｂに接続し、外部の直流高圧電源からケーブルなどを介して給電するようにしている。
【０００６】
【発明が解決しようとする課題】
ところで、前記のように、図４の構成になる電気集じん機３を図３に示した換気トンネル２に搬入し、その設置地点で複数台の電気集じん機を上下段に積み上げて据付けて構築した電気集じん機設備では、現地据付け，保守点検などの面で次に記すような問題点がある。
【０００７】
すなわち、電気集じん機の重量に関して、本体フレーム３ｄの内部に組み込んだ集じんユニット３ｃ（処理風量３．７５ｍ３  ／ｓの場合）の１ユニット当たりの重量は約２８５ｋｇ（帯電部の重量約３５ｋｇ，集じん部の重量約２５０ｋｇ）であるが、本体フレーム３ｄ，および付属部品（ダンパ，洗浄配管など）を含めた総重量は約２．６ｔ（集じんユニット数４の場合）にもなる。
【０００８】
一方、トンネル内に電気集じん機を据付ける際には、移動式のフォークリフトを使用するか、あるいはトンネル内の天井側に備えたホイストを使用して作業を行うようにしているが、前記のように従来の電気集じん機３は１台当たりの総重量が非常に重く、そのために電気集じん機の据付け、および点検，補修の際の引出し作業は困難さを伴う。
【０００９】
このような観点から、従来では電気集じん機自身の軽量化を図るために、例えば帯電部，集じん部に使用する鋼板の厚さを薄くするなどの対策が施されているが、堅牢な強度が要求される本体フレーム，およびダンパ，洗浄配管などの付属部品を含めた１台当たりの総重量の減量化には限界がある。
また、電気集じん機のメーカーでは、仕様面で処理風量の異なる各種容量の電気集じん機を系列化してユーザーの要求に対応できるようにしている。しかしながら、本体フレーム（筐体）に集じんユニットなどを組み込んだ従来構造の電気集じん機は、集じんユニット数によりその外形，サイズが規定されるために、据付け先の換気トンネルの断面形状によってはここに配置する電気集じん機の配列，台数が制約を受け、トンネル内のスペースを有効に生かしてスペース効率よく電気集じん機を設置することができない場合がある。
【００１０】
さらに加えて、電気集じん機の本体フレームに組み込んだダンパ（空気圧，あるいは電動で開閉操作する）は、電気集じん機の運転に伴いダンパ翼の軸受部にダストが付着堆積して次第に動きが鈍くなる。このために、比較的短い周期でダンパの軸受を分解，清掃する厄介なメンテナンス作業が必要となる。
この発明は上記の点に鑑みなされたものであり、その目的は前記課題を解決し、据付け先の換気トンネルの断面形状に合わせて電気集じん機の配置が柔軟に対応でき、かつ集じん機の据付け，保守，点検作業が楽に行え、併せて各基の集じんユニットに対するダスト洗浄が一括して行えるようにした道路トンネル用の電気集じん機設備を提供することにある。
【００１１】
【課題を解決するための手段】
上記目的を達成するために、この発明によれば、道路トンネルの本坑から分岐した再び本坑に戻る縦流換気トンネル，もしくはトンネル外の大気側に通じる横流換気トンネルの風路に、送風機と組合せて複数基の電気集じん機を上下，左右に並べて据付け、本坑から換気トンネルに取り込んだ換気空気を清浄化するようにした道路トンネル用の電気集じん機設備において、帯電部，集じん部を対にして組立てたフレームレス構造の集じんユニットを電気集じん機の単位となし、トンネルの断面形状に合わせて換気トンネル内に構築したプレハブ式の集じんユニット収納棚に前記集じんユニットの複数基を上下，左右に収納し、前記集じんユニット収納棚の上部に集じんユニットに向けて上方から洗浄水を散布するノズル付き洗浄配管を備えて構成する（請求項１）。
【００１２】
また、この発明によれば、道路トンネルの本坑から分岐した再び本坑に戻る縦流換気トンネル，もしくはトンネル外の大気側に通じる横流換気トンネルの風路に送風機と組合せて電気集じん機を据付け、本坑から換気トンネルに取り込んだ換気空気を清浄化するようにした道路トンネル用の電気集じん機設備であり、前記風路の途中箇所で風路を横切るように複数基の電気集じん機を上下，左右に並べて設置したものにおいて、帯電部，集じん部を対にして組立てたフレームレス構造の集じんユニットを電気集じん機の単位となし、トンネルの断面形状に合わせて換気トンネル内に構築したプレハブ式の集じんユニット収納棚に前記集じんユニットの複数基を上下，左右に収納し、前記集じんユニット収納棚の換気空気流出側に、ダンパを装備して構成する（請求項２）。
【００１３】
また、この発明によれば、前記の集じんユニット収納棚に対して、次記のような機能手段を付加して構成するものとする。（１）集じんユニット収納棚に、各基の集じんユニットと個々に対応する引出レールを装備する（請求項３）。（２） 集じんユニット収納棚の上部に、各基の集じんユニットに電圧を印加する直流高圧電源装置を配置する（請求項４）。
上記の構成によれば、電気集じん機の据付け，および保守点検に際しての引出し作業は、帯電部と集じん部を対にして組立てたフレームレスの小型，軽量な集じんユニットを単位として取り扱うことができる。また、角パイプなどを用いて組立てたプレハブ式の集じんユニット収納棚は、換気トンネルの断面形状，および集じんユニットの設置台数，外形サイズになどに合わせたレイアウトで自由に構築することが可能であり、これによりトンネルの断面形状に柔軟に対応して集じんユニットをスペース効率よく配置することができる。
【００１４】
また、集じんユニット収納棚に、各基の集じんユニットを個々に搭載する引出レールを装備することにより、据付け，保守点検に際しての集じんユニットの出し入れ作業が楽に行える。
また、集じんユニット収納棚の上部に集じんユニットに向けて上方から洗浄水を散布するノズル付き洗浄配管を備えることにより、上下多段に並ぶ集じんユニットのダスト洗浄を上方からの洗浄水散布により一括して行うことができて洗浄配管系統が簡素化する。なお、集じんユニットを流下した洗浄排水はトンネルの地面に掘った排水ピットに溜め、ここから排水ポンプにより汚水処理装置に送ってダストを脱水処理する。
【００１５】
また、集じんユニット収納棚の流出側に、各基の集じんユニットに共通なダンパを装備することにより、個々の電気集じん機ごとにダンパを備えた構成と較べて、駆動部を含めた構成が簡略化されるほか、そのメンテナンス作業も短時間で楽に行える。
また、集じんユニット収納棚の上部に、各基の集じんユニットに電圧を印加する直流高圧電源装置（給電ボックス入り）を配置することにより、集じんユニットの洗浄水が電源装置に降りかかって漏電，ショート事故を起こすおそれもなく、かつこの電源装置と各基の集じんユニットの間を最短距離の給電バーで相互接続して給電を行うことができる。
【００１６】
【発明の実施の形態】
以下、この発明の実施の形態を図１，図２の実施例に基づいて説明する。なお、実施例の図中で図３，図４に対応する同一部材には同じ符号が付してある。
この実施例においては、換気トンネル２内の電気集じん機設置箇所にプレハブ式の集じんユニット収納棚６が構築されており、この棚に上下段，左右列に並べてフレームレス構造になる複数基の集じんユニット３ｃを搭載して電気集じん機設備を構成している。
【００１７】
ここで、各基の集じんユニット３ｃは標準仕様の帯電部３ａと集じん部３ｂを対にして集じん部３ｂの前面に帯電部３ａを掛け止めした裸状態の組立体としてなり、図４の従来構造に示した本体フレーム（筐体），および本体フレームに組み込んだ洗浄配管，ダンパなどの付属部品は一切装備してない。
一方、集じんユニット収納棚６は、換気トンネル２の断面形状に合わせて角パイプの支柱６ａで棚の骨組を組み、ここに上下段，左右列に配列して収納した集じんユニット３ｃを１基ずつ搭載して手前側に出し入れする引出レール６ｂを組み込んだ構成になる。なお、引出レール６ｂの詳細な構造については、例えばこの発明と同じ出願人が先に出願した実公平７−３３８８６号公報に開示されている集じんユニット引出し用のレール機構と同様なものを集じんユニット収納棚６に採用することができる。また、集じんユニット収納棚６の換気空気の流入側（前面）は開放したままであるのに対して、流出側（背面）にはダンパ６ｃを装備している。このダンパ６ｃは、棚上に収納した全基の集じんユニット３ｃに共通な大形の扉式のダンパとするか、あるいは各段別に分割して横一列に並ぶ集じんユニットに共通な分割構造の扉式ダンパで構成することができる。さらに、集じんユニット収納棚６の上部側には換気トンネル２の天井壁にアンカーボルトで固定した支持枠７に高圧電源装置８を給電ボックス８ａに内蔵して設置するとともに、その下方にはノズル９ａ付きの洗浄配管９を配管し、外部から供給した洗浄水をノズル９ａより集じんユニット３ｃに向けて上方から散布するようにしている。
【００１８】
また、集じんユニット収納棚６の前方にはトンネルの天井側にホイスト走行レール１０ａを敷設してここに集じんユニット３ｃを昇降移送するホイスト１０を装備している。
かかる構成で、換気トンネル２内に構築した集じんユニット収納棚６に電気集じん機を据付ける場合には、ホイスト１０により集じんユニット３ｃを１基ずつ吊り上げた後、作業台車１１に乗り込んだ作業員が棚内に格納されている引出レール６ｂを前方に引出し、この上に集じんユニット３ｃをゆっくりと吊り降ろす。次いでレール６ｂを棚内に押し込んで集じんユニット３ｃを所定位置にセットする。また、左右列に並ぶ集じんユニット３ｃの相互間には上下方向に給電バー８ａ，８ｂを敷設して天井側の支持枠７に載置した高圧電源装置８に接続し、各基の集じんユニット３ｃを所定位置に収納した状態で、給電バー８ａ，８ｂと上下段に並ぶ集じんユニット３ｃの帯電部３ａ，集じん部３ｂの電極との間を接続する。
【００１９】
また、集じんユニット３ｃの保守点検時には、前記とは逆な手順で指定位置の集じんユニット３ｃと給電バー８ａ，８ｂとの接続を外した後、該集じんユニットを搭載した引出レール６ｂを前方に引出し、ホイスト１０を使って吊り降ろすようにする。
そして、電気集じん機の運転時には、集じんユニット収納棚６の流出側に配備したダンパ６ｃを開放した状態で、高圧電源装置８から各基の集じんユニット３ｃに電圧を印加する。また、集じん部３ｂに捕集したダストを洗浄する場合には、電圧印加を停止した上で、ダンパ６ｃを閉じ、この状態で洗浄配管９に洗浄水を供給し、ノズル９ａより最上段に並ぶ集じんユニット３ｃに向けて上方から洗浄水を散布する。これにより、洗浄水は上下段に並ぶ集じんユニットを順に流下しつつ、その流下過程で帯電部３ａ，集じん部３ｂを洗浄する。この場合に換気空気の流出側はダンパ６ｃで閉塞されているので、洗浄に伴って集じんユニット３ｃから飛散したダストが風路の下流側に移行することはない。そして、最下段の集じんユニットを流下した洗浄排水はトンネル内の地面に掘削した排水ピット１２に流れ込み、ここから排水ポンプ１３，ドレン管１４を経て後段の汚水処理装置に送られる。
【００２０】
【発明の効果】
以上述べたように、この発明によれば、次記の効果を奏する。（１） 請求項１の構成により、電気集じん機の据付け，および保守点検に際しての引出し作業を、帯電部と集じん部を対にして組立てたフレームレスの小型，軽量な集じんユニットを単位として楽に取り扱うことができる。プレハブ式の集じんユニット収納棚は、換気トンネルの断面形状，および集じんユニットの設置台数，外形サイズになどに合わせたレイアウトで自由に構築することが可能であり、これによりトンネルの断面形状に柔軟に対応して集じんユニットをスペース効率よく配置することができる。また、各基の集じんユニットをフレームレス構造としたことにより、１基当たりの重量軽量化に併せて、製作コストの低減化が図れる。さらに、上下多段に並ぶ各集じんユニットのダスト洗浄を上方からの洗浄水散布により一括して行うことができて洗浄配管系統を簡素化できる。
【００２１】
（２） 請求項２の構成により、洗浄水散布による効果を除いた請求項１の構成における効果に加えて、従来の電気集じん機のように各台ごとにダンパを備えた構成と較べて構成が簡単でメンテナンス作業も短時間で楽に行える。
【００２２】
（３） 請求項３の構成により、集じんユニットの据付け，保守点検に際して、収納棚に対する集じんユニットの出し入れ操作を楽に行える。（４）請求項４の構成により、集じんユニットの洗浄水が電源装置に降りかかって漏電，ショート事故を起こすおそれもなく、かつこの電源装置と各基の集じんユニットの間を最短距離の給電バーで相互接続して給電を行うことができる。
【図面の簡単な説明】
【図１】この発明の実施例による換気トンネル内に据付けた電気集じん機設備の組立構造，および集じんユニット取扱い作業の様子を表した側面図
【図２】図１における電気集じん機設備の集じんユニットの配列を模式的に表した正面図
【図３】道路トンネルの縦流換気システムにおける電気集じん機設備の全体の構成配置を表す図であり、（ａ）  は道路トンネルに沿った横断平面図、（ｂ）  は換気トンネルに沿って展開した縦断面図、（ｃ）  は（ａ）  図の矢視Ａ−Ａ断面図
【図４】従来における電気集じん機の内部構造を表す図であり、（ａ）  は平面図、（ｂ）  は側面図
【符号の説明】
１    道路トンネルの本坑
２    換気トンネル
３    電気集じん機
３ａ  帯電部
３ｂ  集じん部
３ｃ  集じんユニット
４    送風機
６    集じんユニット収納棚
６ａ  支柱
６ｂ  引出レール
６ｃ  ダンパ
８    高圧電源装置
９    洗浄配管
９ａ  ノズル
１０    ホイスト
【図１】
0003630210.tif 000002
【図２】
0003630210.tif 000003
【図３】
0003630210.tif 000004
【図４】
0003630210.tif 000005